(57)【要約】【課題】構成部材に厚紙紙片を用いた本に限られるが、流通時に破損することがなく、しかも製造が簡単で価格的な観点からも実使用が可能なＩＣタグ付き本を提供すること。【解決手段】構成部材に厚紙紙片１が用いられている本であって、その厚紙紙片１の端縁部２に沿って帯状のＩＣタグ用インレット１０が貼着されている構成とする。取扱い時や流通時において厚紙紙片１の端縁部２には外力が掛かりにくいため、そこに貼着したＩＣタグ用インレット１０は破損しにくく、ＩＣタグの信頼性が高いものとなる。誌面デザインを損ねることがなく、ＩＣタグ用インレットが破損した場合には、容易に交換することができる。また、個人情報保護の観点から、購入後にＩＣタグ用インレットを容易に外すことができる。しかも、大量生産による安価なＩＣタグ用インレットを溝に沿って貼着するだけであるので、製造が簡単でありるともにコスト的に見ても実使用が可能である。【選択図】図１
2006297769.tif 000002
【特許請求の範囲】
【請求項１】
構成部材に厚紙紙片が用いられている本であって、その厚紙紙片の端縁部に沿って帯状のＩＣタグ用インレットが貼着されていることを特徴とするＩＣタグ付き本。
【請求項２】
構成部材に厚紙紙片が用いられている本であって、その厚紙紙片の端縁部に沿って浅い凹部が形成され、その凹部内に帯状のＩＣタグ用インレットが貼着されていることを特徴とするＩＣタグ付き本。
【発明の詳細な説明】
【技術分野】
【０００１】
本発明は、書籍、雑誌等のいわゆる本の技術分野に属し、詳しくは、パッシブ型のＩＣタグを取り付けたＩＣタグ付き本に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、書籍、雑誌等の本にＩＣタグを付けることにより、万引き防止機能を付与するのみならず、流通過程において必要な情報の管理を行うようにしたものが提案されている。
【特許文献１】特開２００３−６３６５５号公報
【発明の開示】
【発明が解決しようとする課題】
【０００４】
上記の特許文献１に記載されている書籍、雑誌等の本は、背部の表紙内側にＩＣタグを備えた構造をしており、ＩＣタグが隠れて見えないという利点を有している。しかしながら、取扱い時や流通時においては、本の背側に外力が掛かる場合が多々あり、このように背部に外力が掛かると、その中のＩＣタグにも圧力が掛かって破損する恐れがあり、ＩＣタグの信頼性が損なわれるという問題点がある
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００６】
本発明は、上記のような問題点や事情に鑑みてなされたものであり、その目的とするところは、構成部材に厚紙紙片を用いた本に限られるが、流通時に破損することがなく、しかも製造が簡単で価格的な観点からも実使用が可能なＩＣタグ付き本を提供することにある。
【課題を解決するための手段】
【０００７】
請求項１に記載の発明であるＩＣタグ付き本は、構成部材に厚紙紙片が用いられている本であって、その厚紙紙片の端縁部に沿って帯状のＩＣタグ用インレットが貼着されていることを特徴としている。
【０００８】
請求項２に記載の発明であるＩＣタグ付き本は、構成部材に厚紙紙片が用いられている本であって、その厚紙紙片の端縁部に沿って浅い凹部が形成され、その凹部内に帯状のＩＣタグ用インレットが貼着されていることを特徴としている。
【発明の効果】
【０００９】
請求項１に記載のＩＣタグ付き本は、厚紙紙片の端縁部に沿って帯状のＩＣタグ用インレットが貼着されているので、取扱い時や流通時において厚紙紙片の端縁部には外力が掛かりにくいため、そこに貼着したＩＣタグ用インレットは破損しにくく、ＩＣタグの信頼性が高いものとなる。
【００１０】
請求項２に記載のＩＣタグ付き本は、厚紙紙片の端縁部に沿って浅い凹部が形成され、その凹部内に帯状のＩＣタグ用インレットが貼着されているので、取扱い時や流通時において厚紙紙片の端縁部には外力が掛かりにくいため、そこに位置する凹部内に貼着したＩＣタグ用インレットは破損しにくく、ＩＣタグの信頼性が高いものとなる。
【００１１】
また、請求項１，２のいずれに記載のＩＣタグ付き本も、厚紙紙片の端縁部にＩＣタグ用インレットを貼着する構成を採るので、誌面デザインを損ねるようなことがなく、ＩＣタグ用インレットが破損した場合には、容易に交換することができ、出来本を廃棄せずに活かすことができる。また、個人情報保護の観点から、購入後にＩＣタグ用インレットを容易に外すことができる。しかも、大量生産による安価なＩＣタグ用インレットを厚紙紙片の端縁部に沿って貼着するだけであるので、製造が簡単であるともにコスト的に見ても実使用が可能である。
【発明を実施するための最良の形態】
【００１２】
以下、本発明の実施の形態について説明する。
【００１３】
図１と図２はそれぞれ本発明に係るＩＣタグ付き本の一例を示す斜視図である。
【００１４】
これらの図に示すＩＣタグ付き本Ｂは、表紙に厚紙紙片１を用いた本に適用したものであり、図１の本では、厚紙紙片１における上辺の端縁部２に沿って帯状のＩＣタグ用インレット１０が貼着されている。また、図２の本では、厚紙紙片１における上辺の端縁部２に沿って浅い凹部３が形成され、その凹部３内に帯状のＩＣタグ用インレット１０が貼着されている。この端縁部２に位置する凹部３は、厚紙の原反から厚紙紙片１を打ち抜く際に同時に形成することができる。
【００１５】
ＩＣタグ用インレット１０としては、図３に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々の種類がある。このようなＩＣタグ用インレット１０は、印刷技術によりアンテナを作製することと、超音波接合技術により安価なフィルム素材を利用することで、大量生産でき、安価に供給することができる。
【００１６】
図１及び図２に示すＩＣタグ付き本Ｂでは、厚紙紙片における上辺の端縁部にＩＣタグ用インレット１０を貼着したが、ＩＣタグ用インレットの貼着位置は厚紙紙片における下辺の端縁部でも小口側の端縁部でもよく、デザイン、予想される使用状況等に応じて適宜決めればよい。また、上記のような表紙の端縁部にＩＣタグ用インレットを貼着してなるＩＣタグ付き本は、表紙に厚紙紙片を用いていさえすればその製本様式は問わない。なお、上製本の場合は、芯材のチップボールにクロス、皮等の材料を組み合わせた厚表紙を用いるが、チップボールの端縁部にＩＣタグ用インレットを貼着し、その上からクロスや皮などで覆うことで、ＩＣタグ用インレットを外から見えないように隠すことができる。
【００１７】
また、ＩＣタグ用インレットを貼着する厚紙紙片は表紙に限るものではなく、本の構成部材であれば何でも構わない。例えば、表紙を含めて各用紙が厚紙で構成されている合紙絵本の場合は、表紙の端縁部にＩＣタグ用インレットを貼着してもよいし、表紙以外の任意の厚紙紙片の端縁部にＩＣタグ用インレットを貼着するようにしてもよい。また、口絵に厚紙紙片を用いている本では、その口絵の端縁部にＩＣタグ用インレットを貼着すればよい。或いは、厚紙製のブックケースを用いている本にあっては、そのブックケースの端縁部にＩＣタグ用インレットを貼着することも可能である。
【図面の簡単な説明】
【００１８】
【図１】本発明に係るＩＣタグ付き本の一例を示す斜視図である。
【図２】本発明に係るＩＣタグ付き本の一例を示す斜視図である。
【図３】本発明で使用するＩＣタグ用インレットの一例を示す平面図である。
【符号の説明】
【００１９】
Ｂ  ＩＣタグ付き本
１  厚紙紙片
２  端縁部
３  凹部
１０  ＩＣタグ用インレット
１１  ＩＣチップ
１２  外部アンテナ
１３  ベースフィルム
１４  スリット
【図１】
2006297769.tif 000003
【図２】
2006297769.tif 000004
【図３】
2006297769.tif 000005